Podtech/llm-jp-corpus-v4-ja_patent huggingface dataset:
【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
医薬活性成分を収容する容器用のコネクター（１、１’）であって、第１の容器（２、２’）を接続する第１の接続領域（３、３’）と、ガイド要素（４、４’）と、穿孔要素（５、５’）と、仕切り壁（６）とを備え、前記ガイド要素（４、４’）は、医薬活性成分を移送するように設計されているダクト（７）を有し、前記穿孔要素（５、５’）は、前記ダクト（７）の少なくとも特定のセクションに配置され、前記ガイド要素（４、４’）によって、かつ、前記第１の接続領域（３、３’）において前記第１の容器（２、２’）を接続することによって、前記ダクト（７）内で軸方向に移動可能にガイドされ、前記穿孔要素（５、５’）は、該穿孔要素（５、５’）が前記仕切り壁（６）を開かない始端位置から、医薬活性成分を移送するために該穿孔要素（５、５’）が前記仕切り壁（６）を開く終端位置に移動することができ、
前記ガイド要素（４、４’）が、前記第１の接続領域（３、３’）に接続することができる前記第１の容器（２、２’）の膜（１４）を穿孔及び／又は破断開封するように設計されている端セクション（８）を有し、
前記コネクター（１、１’）が、前記第１の接続領域（３、３’）を形成するハウジングセクション（１０、１０’）と、ハウジングベース（１１、１１’）とを有するハウジング（９、９’）を更に備え、前記ガイド要素（４、４’）は、前記ハウジング（９、９’）の前記ハウジングベース（１１、１１’）に接続されることを特徴とする、
医薬活性成分を収容する容器用のコネクター。
【請求項２】
コネクター（１、１’）であって、前記穿孔要素（５、５’）は、前記第１の接続領域（３、３’）に面する端が前記ガイド要素（４、４’）を越えて突出する、請求項１に記載のコネクター。
【請求項３】
コネクター（１、１’）であって、前記穿孔要素（５、５’）及び前記ガイド要素（４、４’）は、前記穿孔要素（５、５’）の外面と、前記ダクト（７）を形成する、前記ガイド要素（４、４’）の内面との間に、医薬活性成分を移送するための隙間が残るように設計される、請求項１又は２に記載のコネクター。
【請求項４】
コネクター（１、１’）であって、前記穿孔要素（５、５’）は中実体及び／又は中空体として設計される、請求項１〜３のいずれか一項に記載のコネクター。
【請求項５】
コネクター（１、１’）であって、前記穿孔要素（５、５’）は少なくとも部分的にプラスチックからなる、請求項１〜４のいずれか一項に記載のコネクター。
【請求項６】
コネクター（１、１’）であって、前記穿孔要素（５、５’）は少なくとも部分的にポリプロピレン、ポリカーボネート又はポリスチレンからなる、請求項１〜５のいずれか一項に記載のコネクター。
【請求項７】
コネクター（１、１’）であって、前記仕切り壁（６）は前記ダクト（７）内に又は該ダクト（７）の一端に配置される、請求項１〜６のいずれか一項に記載のコネクター。
【請求項８】
コネクター（１、１’）であって、前記仕切り壁（６）は、前記穿孔要素（５、５’）の、前記第１の接続領域（３、３’）とは面しない端に配置される、請求項１〜７のいずれか一項に記載のコネクター。
【請求項９】
コネクター（１、１’）であって、前記穿孔要素（５、５’）は前記始端位置に解放可能に予め固定される、請求項１〜８のいずれか一項に記載のコネクター。
【請求項１０】
コネクター（１、１’）であって、該コネクター（１、１’）は、前記第１の接続領域（３、３’）に接続して前記容器（２、２’）を上流側の容器ドッキング位置に移動させると、最初に、前記仕切り壁（６）が前記穿孔要素（５、５’）によって開かれ、前記容器（２、２’）を容器終端位置に移動させると、前記容器（２、２’）の前記膜（１４）が前記ガイド要素（４、４’）によって開封されるように設計される、請求項１〜９のいずれか一項に記載のコネクター。
【請求項１１】
コネクター（１、１’）であって、第２の容器を接続する第２の接続領域（１２）を更に備え、前記仕切り壁（６）は、閉状態では、前記第１の接続領域（３、３’）と前記第２の接続領域（１２）との間での医薬活性成分の輸送を防ぐように配置される、請求項１〜１０のいずれか一項に記載のコネクター。
【請求項１２】
コネクター（１、１’）であって、前記第２の接続領域（１２）は、前記ハウジングベース（１１、１１’）に接続されている接続手段（１３）によって形成される、請求項１に関連した請求項１１に記載のコネクター。
【請求項１３】
コネクター（１、１’）であって、前記ハウジング（９、９’）及び前記接続手段（１３）は一部品である、請求項１２に記載のコネクター。
【請求項１４】
コネクター（１、１’）であって、前記ハウジング（９、９’）及び前記接続手段（１３）は一体である、請求項１２または１３に記載のコネクター。
【請求項１５】
コネクター（１、１’）であって、前記第１の接続領域（３、３’）は、ガラスボトルを接続するために又はルアー接続部として設計される、請求項１〜１４のいずれか一項に記載のコネクター。
【手続補正２】
【補正対象書類名】明細書
【補正対象項目名】００１２
【補正方法】変更
【補正の内容】
【００１２】
更なる好適な実施の形態では、穿孔要素、ガイド要素、仕切り壁及び／又はハウジングはプラスチック、好ましくはポリプロピレン（ＰＰ）又はポリプロピレンとスチレン／エチレン−ブチレン／スチレン（ＳＥＢＳ）とのブレンドから製造される。特に、穿孔要素、ガイド要素、仕切り壁及び／又はハウジングは射出成形品とすることができる。代替的に、穿孔要素は例えば、ポリカーボネート（ＰＣ）又はポリスチレン（ＰＳ）から製造することができる。穿孔要素は、好ましくは完全にプラスチックからなる。穿孔要素は、好ましくは完全にポリプロピレン、ポリカーボネート又はポリスチレンからなる。
【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
組織修正デバイスにおいて、
近位端及び遠位端を有し、身体領域に挿入されるように形成された細長いエレメントと、
前記細長いエレメント内に配置された液体流体送出エレメントであって、該流体送出エレメントは、身体領域を取り囲む組織の容積を切除するための液体流体流を液体流体送出ポートを通して放出するように形成された、液体流体送出エレメントと、
ガスが送出されて前記切除するための液体流体流を取り囲み、該液体流体流の一体性を維持するように前記液体流体送出ボートに近接して配置されたガス注入ポートと、を含む、デバイス。
【請求項２】
請求項１に記載のデバイスにおいて、
前記デバイスが、前記組織を選択的に切除するように選択された形状及びソース圧力を有する前記液体流体流を送出するように形成された、デバイス。
【請求項３】
請求項１又は２に記載のデバイスにおいて、
前記液体流体送出エレメントは、前記細長いエレメントに対し、並進、回転、振動、及び／又は回転振動を行うように形成されている、デバイス。
【請求項４】
請求項１乃至３のうちのいずれか一項に記載のデバイスにおいて、更に、
前記細長いエレメント内に配置され、前記組織を可視化するように形成された可視化エレメントを含む、デバイス。
【請求項５】
請求項１乃至４のうちのいずれか一項に記載のデバイスにおいて、更に、
前記液体流体流の内部を通してエネルギを伝達し、前記組織を焼灼するように形成されたエネルギ導管を含み、前記デバイスは、前記液体流体流の力を、前記エネルギを伝達するには十分であるが前記組織を切除するには不十分なレベルに低下するように形成されている、デバイス。
【請求項６】
請求項５に記載のデバイスにおいて、更に、
前記液体流体流の前記内部を通して伝達された前記エネルギを使用して前記組織を切除するように形成されている、デバイス。
【請求項７】
請求項６に記載のデバイスにおいて、
前記エネルギは、光エネルギ又は高周波エネルギ等の電磁エネルギである、デバイス。
【請求項８】
請求項１乃至７のうちのいずれか一項に記載のデバイスにおいて、更に、
前記細長いエレメントの前記遠位端の近くに膨張可能なアンカーを含み、前記膨張可能なアンカーは、前記身体領域内で膨張し、切除中に前記細長いエレメントを安定するように形成されている、デバイス。
【請求項９】
請求項１乃至８のうちのいずれか一項に記載のデバイスにおいて、更に、
前記液体流体送出エレメントの周囲の前記組織に吸引力を加え、切除発生物を除去するため、前記細長いエレメント内に除去内腔を有する、デバイス。
【請求項１０】
請求項９に記載のデバイスにおいて、
前記除去内腔を通して切除発生物を吸引するため、液体流体送出内腔と前記除去内腔との間に所定の圧力差を維持するように形成されている、デバイス。
【請求項１１】
請求項１乃至１０のいずれか一項に記載のデバイスにおいて、
治療に使用するためのデバイス。
【請求項１２】
請求項１乃至１０のいずれか一項に記載のデバイスにおいて、
良性前立腺肥大症（ＢＰＨ）、前立腺炎、又は前立腺癌の症状の経尿道的治療に使用するためのデバイス。
【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
油と水を入れるよう構成された鍋ハウジングと、加熱手段と、冷却手段と、排水手段と排油手段とを具える食品を揚げるためのフライ鍋において、当該フライ鍋は、前記油を適切に加熱させるのに適した動力源に連結可能であり、
前記鍋ハウジングは、側面を形成する壁を有する上端部と下端部を含む形状を有する本体と、水を入れるよう構成された下部および油を入れるよう構成された上部を規定するための内側の凹部とを有し、前記下部は前記排水手段を有し、前記上部は前記排油手段を有しており、
前記冷却手段は前記加熱手段の真下または下方に配置され、前記鍋ハウジングの片側から反対側まで延在する少なくとも１の中空の冷却路と冷却装置とを有しており、
前記冷却装置は、使用時に、空気が前記冷却路を通って移動できるまたは押し引きされ、前記上部内の前記油の下方部分を冷却するように、前記冷却路に動作可能に連結されており、
前記冷却路は前記鍋ハウジングの側面の一部として形成され、前記鍋ハウジングの側面は、前記下端部の幅が前記上端部よりも短くなるように、互いに向かって曲げられており、
当該フライ鍋は、前記冷却手段が作動したときに、前記油の循環を制限し、前記油の下方部分の温度を冷却するように低下させるために、前記油内に取外し可能に配置されたレールを具えるバッフルを有し、さらに油の動く速度を低下させて、揚げ物から生じた食品片または廃物を前記鍋ハウジングの底端部に落下させ、当該フライ鍋から放出または除去することができるようにすることを特徴とするフライ鍋。
【請求項２】
請求項１に記載のフライ鍋において、前記冷却手段が、前記少なくとも１の中空の冷却路の一端と少なくとも流体連結している冷却ハウジングを有し、前記冷却装置は前記冷却ハウジングに連結されており、前記冷却装置は、前記中空の冷却路を通って空気を押し引きするように動作することを特徴とするフライ鍋。
【請求項３】
請求項２に記載のフライ鍋において、前記バッフルの前記レールが、端部プレートに水平に支持され連結されており、前記端部プレートは、前記レールを前記鍋ハウジングの側面に対して平行にするように、前記鍋ハウジングの前部および後部に位置していることを特徴とするフライ鍋。
【請求項４】
請求項３に記載のフライ鍋において、２列の間隔をおいて配置されたレールが設けられており、第１の列のレールは第２の列のレールの上に配置され、
各レールは、左右の隙間および上下関係の間隔によって他方から間隔をおいて配置され、前記第２の列は前記第１の列よりもレールの数が少なく、これらの前記レールは互い違いの配列に間隔をおいて配置されており、
各レールは、使用時に逆Ｖ字型の断面形状を有し、列間の隙間は複雑な経路を形成することを特徴とするフライ鍋。
【請求項５】
請求項４に記載のフライ鍋において、前記バッフルは前記ハウジング内に配置されており、前記油と水の境界線は前記第２の列の下側に位置することを特徴とするフライ鍋。
【手続補正書】
【提出日】平成26年1月9日(2014.1.9)
【手続補正１】
【補正対象書類名】特許請求の範囲
【補正対象項目名】全文
【補正方法】変更
【補正の内容】
【特許請求の範囲】
【請求項１】
コンソールから信号を受信し、反射又は透過エネルギーに基づく画像を生成するトランスデューサ装置と、前記コンソールから前記トランスデューサ装置へ励起エネルギーを供給するため前記トランスデューサ装置に結合された可撓性のケーブルと、オペレーションの間、前記ケーブルの形状及び位置に対応する形状及び位置を持つ少なくとも一つの光ファイバと、前記少なくとも一つの光ファイバと光通信する複数のセンサとを有し、前記センサは、前記光ファイバの偏向及び曲りを測定し、前記光ファイバの偏向及び曲りが、前記トランスデューサ装置についての形状情報及び位置情報のうちの少なくとも１つを決定するために使用される、トランスデューサ装置の位置、方向及び／又は形状を決定するための装置。
【請求項２】
前記複数のセンサが、張力を測定するため前記少なくとも一つの光ファイバの長手方向に分散されたファイバブラッググレーティング（ＦＢＧ）を含む、請求項１に記載の装置。
【請求項３】
少なくとも一つの光ファイバが、ファイバトリプレットを含む、請求項１に記載の装置。
【請求項４】
前記トランスデューサ装置は、前記光ファイバの形状及び位置を決定し、従ってトランスデューサ要素の互いに関する動的なジオメトリーを決定するためのセンサを持つ光ファイバ各々に結合された複数のトランスデューサ要素を含む、請求項１に記載の装置。
【請求項５】
前記少なくとも一つの光ファイバが閉じた又は部分的に閉じた形態で形成される複数のセンサを含み、前記トランスデューサ装置は、前記トランスデューサ装置に付与される圧力による位置変化を測定するために前記複数のセンサ内に配置される、請求項１に記載の装置。
【請求項６】
前記トランスデューサ装置は複数のトランスデューサ要素を含み、各トランスデューサ要素は、前記光ファイバの形状及び位置を決定するためのセンサを持つ光ファイバ各々と結合される、請求項１に記載の装置。
【請求項７】
外筒を更に有し、前記トランスデューサ装置は前記外筒に取付けられ、前記ケーブルの形状及び位置が、オペレーションの間、前記少なくとも一つの光ファイバの形状及び位置に対応するように、前記ケーブル及び前記少なくとも一つの光ファイバは、これらの長手方向に沿って互いに結合される、請求項１に記載の装置。
【請求項８】
前記トランスデューサ装置は、前記光ファイバの形状及び位置を決定するセンサを持つ一つ以上の光ファイバに結合された複数のトランスデューサ要素を含み、前記トランスデューサ要素は患者への治療を提供する、請求項１に記載の装置。
【請求項９】
医療装置と、コンソールから信号を受信し、反射又は透過エネルギーに基づいて画像を生成するトランスデューサ装置と、前記コンソールから前記トランスデューサ装置への励起エネルギーを供給するため前記トランスデューサ装置に結合された可撓性のケーブルと、治療の間、医療装置の形状及び位置に対応する形状及び位置を持つ少なくとも一つの光ファイバと、前記少なくとも一つの光ファイバに対する前記医療装置の形状及び位置を検知するための少なくとも一つの他の位置検知装置と、前記少なくとも一つの光ファイバと光通信する複数のセンサとを有し、前記センサは前記光ファイバの偏向及び曲りを測定して、前記少なくとも一つの他の位置検知装置と前記光ファイバの偏向及び曲りとが、治療の間の前記医療装置についての形状情報及び位置情報のうちの少なくとも１つを決定するために使用される、位置、方向及び／又は形状を決定するための装置。
【請求項１０】
前記複数のセンサが、張力を測定するため前記少なくとも一つの光ファイバの長手方向に分散されるファイバブラッググレーティングを含む、請求項９に記載の装置。
【請求項１１】
前記少なくとも一つの他の位置検知装置が、電磁センサと光センサを持つ他の光ファイバとのうちの１つを含む、請求項９に記載の装置。
【請求項１２】
光ファイバに統合され、可撓性のケーブル内に配置された空間的に分散されたファイバブラッググレーティング（ＦＢＧ）と、前記可撓性のケーブルを通じて超音波コンソールに結合された超音波トランスデューサと、前記可撓性のケーブル内の前記光ファイバの偏向が測定されるように、ＦＢＧに光を送り、ＦＢＧから光を受信する光システムと、コンピュータシステムとを有し、前記コンピュータシステムは、前記光ファイバの偏向に関係するパラメータを計算し、前記可撓性のケーブルの構成が前記超音波トランスデューサの位置を提供するように前記可撓性のケーブルの構成を決定する形状決定プログラムを含む、撮像又は治療装置の部分を追跡するためのシステム。
【請求項１３】
前記超音波トランスデューサは、前記光ファイバの位置を決定するためのセンサを持つ光ファイバ各々と結合された複数のトランスデューサ要素を含む、請求項１２に記載のシステム。
【請求項１４】
前記少なくとも一つの光ファイバが閉じた又は部分的に閉じた形態で形成される複数のセンサを含み、前記トランスデューサ装置が前記トランスデューサ装置に付与される圧力による位置変化を測定する複数のセンサ内に配置される、請求項１２に記載のシステム。
【請求項１５】
前記超音波トランスデューサが複数のトランスデューサ要素を含み、各トランスデューサ要素は、前記光ファイバの位置を決定するセンサを持つ対応する光ファイバに結合されている、請求項１２に記載のシステム。
【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
解剖学的構造の仮想モデルを三次元画像から作成するための方法であって：
複数の二次元画像から作成される三次元画像を提供すること；
撮像されたボクセルが組織を示していないことを示す値よりも高い閾値を設定すること；並びに、
前記三次元画像における種子点ボクセルを、出発点として選択すること；
複数の反復を実行することであって、各反復が：
前記種子点にすぐ隣接し、所望するあらゆる方向にあるボクセルであって、前記閾値を満たすか、または、超える前記ボクセルをセグメント化すること；
該反復においてセグメント化されたボクセル数を決定すること；
前記ボクセル数がゼロより大きい場合、前記数が漏れを示すのに十分な大きさであるかどうかを決定すること；
漏れとなったボクセルを削除し、後処理を行うために漏れとなったオブジェクトとして該漏れとなったボクセルを記憶すること；および、
一つも漏れが示されない場合、次の反復のための種子点としてセグメント化されたボクセルを識別すること
を含む、複数の反復を実行すること；
セグメント化された前記ボクセル数がゼロに等しい時を検出すること；
前記セグメント化されたボクセル数がゼロに等しくなるまで、漏れとなったオブジェクトがあれば該オブジェクトに第二の反復を実行することであって、前記第二の反復が：
種子点として漏れとなった所与のボクセルにおける漏れを検出する最初の反復においてボクセルを選択すること；
前記閾値を低減させること；
すべての所望の方向に、前記種子点にすぐ隣接し、所望するあらゆる方向にあるボクセルであって、前記閾値を満たすか、または、超える前記ボクセルをセグメント化すること；
該反復においてセグメント化されたボクセル数を決定すること；
前記ボクセル数がゼロより大きい場合、前記数が漏れを示すのに十分な大きさであるかどうかを決定すること；
漏れとなったボクセルを削除し、後処理を行うために漏れとなったオブジェクトとしてそれらを記憶すること；および、
一つも漏れが示されない場合、次の反復のための種子点としてセグメント化されたボクセルを識別すること
を含む、第二の反復を実行すること
を含む、方法。
【請求項２】
前記三次元画像における種子点を出発点として選択することは、高い閾値を有する種子点ボクセルを選択することを含む、請求項１に記載の方法。
【請求項３】
前記高い閾値を有する種子点ボクセルを選択することは、空気を示す閾値を有する種子点ボクセルを選択することを含む、請求項２に記載の方法。
【請求項４】
コンピュータによって読み取る際に解剖学的構造の仮想モデルを三次元画像から作成するための方法を実行する命令を記憶するコンピュータ可読媒体であって：
閾値として、流体を示す画像ボクセルの濃度を使用すること；
前記閾値を満たすボクセルのみをセグメント化し、それにより、前記解剖学的構造の内部空洞および／または内腔の仮想モデルを作成することであって、前記セグメント化は、種子点としてセグメント化されたボクセルを使用し、前記種子点に隣接する所望の方向にあるセグメント化されていないボクセルを分析する、一連の反復として行われること；および、
前記種子点に隣接し、前記所望の方向にあるセグメント化されていないボクセルがなくなるまで、反復により新たにセグメント化されたボクセルを次の反復のための種子点として使用して、前記反復を繰り返すこと
を含む、方法。
【請求項５】
前記セグメント化の工程から、前記閾値を満たすが、漏れとなったオブジェクトとして識別され、公知の解剖学的構造に適合することに基づく基準を満たすことができないオブジェクトを形成するボクセルを分離すること
をさらに含む、請求項４に記載の方法。
【請求項６】
低減された閾値を使用して、前記漏れとなったオブジェクトを再セグメント化すること；
前記再セグメント化の工程から、前記低減された閾値を満たすが、漏れとなったオブジェクトとして識別され、公知の解剖学的構造に適合することに基づく基準を満たすことができないオブジェクトを形成するボクセルを分離すること；および、
分離されていない、再セグメント化ボクセルを前記仮想モデルに加えること
をさらに含む、請求項５に記載の方法。
【請求項７】
漏れとなったオブジェクトの一部として識別される最初にセグメント化されたボクセルの集まりを種子点として使用し、前記種子点に隣接し、所望の方向にあるセグメント化されていないボクセルを分析して、一連の反復として、前記再セグメント化の工程を行うこと；および、
前記種子点に隣接し、前記所望の方向にあるセグメント化されていないボクセルがなくなるまで、反復により新たにセグメント化されたボクセルを次の反復のための種子点として使用して、前記反復を繰り返すこと
を含む、請求項６に記載の方法。
【手続補正書】
【提出日】平成26年4月21日(2014.4.21)
【手続補正１】
【補正対象書類名】特許請求の範囲
【補正対象項目名】全文
【補正方法】変更
【補正の内容】
【特許請求の範囲】
【請求項１】
再狭窄を有するまたはその発現リスクがある対象の再狭窄を低減するためのシステムの作動方法であって、
再狭窄の発生率または重症度を低減するのに十分な量と頻度の反復遠隔虚血コンディショニング（ＲＩＣ）療法のプロトコルに従い、前記システムを作動させること、を含む方法。
【請求項２】
医療介入の後に再狭窄が発生する、
請求項１に記載の方法。
【請求項３】
前記反復ＲＩＣ療法が、１日で行われる２回以上のＲＩＣ療法を含む、
請求項１または２に記載の方法。
【請求項４】
前記反復ＲＩＣ療法が、２日以上で１回以上のＲＩＣ療法を含む、
請求項１〜３のいずれか１項に記載の方法。
【請求項５】
前記反復ＲＩＣ療法が、１ヶ月間毎日行われる１回以上のＲＩＣ療法を含む、
請求項４に記載の方法。
【請求項６】
前記反復ＲＩＣ療法が、１ヶ月間１日おきに行われる１回以上のＲＩＣ療法を含む、
請求項４に記載の方法。
【請求項７】
前記反復ＲＩＣ療法が、６ヶ月間にわたる１回以上のＲＩＣ療法を含む、
請求項１に記載の方法。
【請求項８】
前記対象が医療介入を受ける、
請求項１〜７のいずれか１項に記載の方法。
【請求項９】
前記反復ＲＩＣ療法が前記医療介入の前、前記医療介入中、および前記医療介入の後、の少なくとも一つの時期に行われる、
請求項８に記載の方法。
【請求項１０】
前記反復ＲＩＣ療法が医療介入の前後に行われる、
請求項８に記載の方法。
【請求項１１】
前記医療介入が血管内ステント留置術である、
請求項８〜１０のいずれか１項に記載の方法。
【請求項１２】
前記血管内ステント留置術が動脈ステント留置術、静脈ステント留置術、ベアメタルステント留置術、および薬剤溶出ステント留置術からなる群から選択される、
請求項１１に記載の方法。
【請求項１３】
前記医療介入が血管形成術、非血管ステント留置術、食道ステント留置術、気管ステント留置術、尿管ステント留置術、および胆管ステント留置術からなる群から選択される、
請求項２および８〜１０のいずれか１項に記載の方法。
【請求項１４】
少なくとも１回のＲＩＣ療法が前記医療介入の２４時間以内に行われる、
請求項２および８〜１０のいずれか１項に記載の方法。
【請求項１５】
少なくとも１回のＲＩＣ療法が前記医療介入の２時間以内に行われる、
請求項２および８〜１０のいずれか１項に記載の方法。
【請求項１６】
少なくとも１回のＲＩＣ療法が前記医療介入の１時間以内に行われる、
請求項２および８〜１０のいずれか１項に記載の方法。
【請求項１７】
少なくとも１回のＲＩＣ療法が少なくとも４サイクルを含み、各サイクルが閉塞と再灌流とを含む、
請求項１〜１６のいずれか１項に記載の方法。
【請求項１８】
少なくとも１回のＲＩＣ療法が、５分間の閉塞と５分間の再灌流とを含むサイクルを２サイクル以上含む、
請求項１〜１７のいずれか１項に記載の方法。
【請求項１９】
前記閉塞のための血圧が収縮期血圧より少なくとも１５ｍｍＨｇ高い圧力である、
請求項１７または１８に記載の方法。
【請求項２０】
前記反復ＲＩＣ療法が一つの部位で行われる、
請求項１〜１９のいずれか１項に記載の方法。
【請求項２１】
前記反復ＲＩＣ療法が上肢および下肢の少なくとも一方で行われる、
請求項１〜２０のいずれか１項に記載の方法。
【請求項２２】
前記対象には抗血小板剤が投与されている、
請求項１に記載の方法。
【請求項２３】
前記対象には抗炎症剤が投与されている、
請求項１に記載の方法。
【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
所定の幅を有し、比較的硬い同一材料でできており、所定の間隔を空けた上位部および下位部を含む外殻であって、前記上位部および下位部の間に位置し、前記上位部および下位部の異なる位置で当該上位部および下位部を相互に連結し、前記上位部および下位部の材料より柔軟なエラストマーでできた第１および第２端部を含み、囲われた内部を形成している外殻と、
前記外殻の内部に位置し、前記外殻の上位部および下位部より柔軟な内側部弾性材料を含む内側部であって、前記内側部弾性材料の量は前記外殻の幅全体にわたって異なり、前記外殻の幅全体にわたってさまざまな圧縮性を実現する内側部において、前記外殻の内部に１つまたは２つ以上の囲われた空隙が位置している内側部と、
を含むことを特徴とする可変応答性おしゃぶり。
【請求項２】
おしゃぶりの復元応答が、前記外殻に加えられた力の速度に比べて遅れることを特徴とする、請求項１に記載の可変応答性おしゃぶり。
【請求項３】
おしゃぶりの復元応答が、前記外殻に加えられた力の速度にほぼ等しいことを特徴とする、請求項１に記載の可変応答性おしゃぶり。
【請求項４】
おしゃぶりの材料および構造が、加えられた外力に対してバネおよび減衰性の応答を示す粘弾性モデルに、少なくとも部分的に基づいて選ばれることを特徴とする、請求項１から３のいずれかに記載の可変応答性おしゃぶり。
【請求項５】
おしゃぶりの粘弾性応答が、２つの異なる外力に対して異なって応答するように設計されていることを特徴とする、請求項４に記載の可変応答性おしゃぶり。 
【請求項６】
少なくとも外側部が軸を中心に回転することができることを特徴とする、請求項１から５のいずれかに記載の可変応答性おしゃぶり。
【請求項７】
主体および当該主体の周りを回転することができるリングをさらに含むことを特徴とする、請求項６に記載の可変応答性おしゃぶり。
【請求項８】
異なる角度のある表面を形成していることを特徴とする、請求項１から７のいずれかに記載の可変応答性おしゃぶり。
【請求項９】
前記角度のある表面が、少なくとも１つの山部と少なくとも１つの谷部によって作られていることを特徴とする、請求項８に記載の可変応答性おしゃぶり。
【請求項１０】
前記内側部が約２５Ａの硬度を有し、前記外殻上位部および下位部が約５０Ａの硬度を有することを特徴とする、請求項１から９のいずれかに記載の可変応答性おしゃぶり。
【請求項１１】
圧縮力に対するおしゃぶりの応答を判定するために特定の食料を試験することと、
当該試験により得られた結果を用いて、おしゃぶりの力に対する応答性を判定することと、
を含むことを特徴とする、可変応答性おしゃぶりの設計方法。
【請求項１２】
請求項１１の方法によって設計された可変応答性おしゃぶり。
【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
治療量の一酸化窒素を送達するシステムであって：
酸素及び/又は空気のガス混合物を送達するベンチレータ；
四酸化二窒素を含む液体リザーバ；
患者に送達されるガス供給に接続するように構成された該リザーバからの管；
該管に連結された第1の容器であって、抗酸化剤の水溶液で飽和された表面活性物質を含む該容器；及び
該第1の容器に連結された患者用インターフェイス；
を含み、該第1の容器が、該患者用インターフェイスへの到達に先立って、二酸化窒素を一酸化窒素に変換する、前記システム。
【請求項２】
前記空気の供給源が、窒素、酸素富化空気、又は実質的に純粋な酸素を含む、請求項１記載のシステム。
【請求項３】
前記リザーバが、希釈ガスを伴い又は伴わずに、圧縮された二酸化窒素を含む、請求項１又は２記載のシステム。
【請求項４】
前記リザーバに取り付けられた加熱要素を更に含む、請求項１〜３のいずれか一項記載のシステム。
【請求項５】
前記リザーバ及び前記管に連結されたバルブを更に含む、請求項１〜４のいずれか一項記載のシステム。
【請求項６】
前記リザーバ及び前記空気の供給源に連通したガス混合器を更に含む、請求項１〜５のいずれか一項記載のシステム。
【請求項７】
前記管が、約25μm以下の口径を有する、請求項１〜６のいずれか一項記載のシステム。
【請求項８】
前記管が、10μm以下の口径を有する、請求項１〜７のいずれか一項記載のシステム。
【請求項９】
治療量の一酸化窒素を送達するシステムであって：
酸素及び/又は空気のガス混合物を送達するベンチレータ；
希釈ガス中にNO2を含むガスボンベ；
該ガスボンベに接続するように構成された流量レギュレータ及びバルブ；
第1の容器であって、抗酸化剤の水溶液で飽和された表面活性物質を含む該容器；並びに
該第1の容器に連結された患者用インターフェイス；
を含み、該第1の容器が、該患者用インターフェイスへの到達に先立って、二酸化窒素を一酸化窒素に変換する、前記システム。
【請求項１０】
前記ガスボンベが、800〜2000ppmのNO2を含む、請求項９記載のシステム。
【請求項１１】
前記容器が、カートリッジを含む、請求項１〜１０のいずれか一項記載のシステム。
【請求項１２】
前記表面活性物質が、シリカゲル、活性チャコール、活性炭、活性アルミナ、又は硫酸カルシウムである、請求項１〜１１のいずれか一項記載のシステム。
【請求項１３】
前記抗酸化剤が、アスコルビン酸、αトコフェロール、又はγトコフェロールである、請求項１〜１２のいずれか一項記載のシステム。
【請求項１４】
抗酸化剤の水溶液で飽和された表面活性物質を含む第2の容器を更に含む、請求項１〜１３のいずれか一項記載のシステム。
【請求項１５】
前記患者用インターフェイスが、マウスピース、フェイスマスク、若しくは完全密封型フェイスマスクであるか、又は前記患者用インターフェイスが、気管挿管器である、請求項１〜１４のいずれか一項記載のシステム。
【請求項１６】
ベンチレータを含むシステムであって、
二酸化窒素を、該ベンチレータから出た空気/酸素ガス流に注入すること；
該二酸化窒素を、抗酸化剤で被覆された表面活性物質に接触させて、ガス状二酸化窒素を一酸化窒素に周囲温度で変換すること；及び
治療量の一酸化窒素を哺乳動物に運ぶこと；
を含む、治療量の一酸化窒素を哺乳動物に提供する方法を実施するための、前記システム。
【請求項１７】
前記システムがリザーバをさらに含み、かつ前記二酸化窒素が、該リザーバ内に含まれる液体二酸化窒素から発生される、請求項１６記載のシステム。
【請求項１８】
前記システムが、前記リザーバに連結されている管をさらに含み、かつ該管が約25μm以下の口径を有する、請求項１７記載のシステム。
【請求項１９】
前記リザーバ及び前記管に連結されたバルブを更に含む、請求項１８記載のシステム。
【請求項２０】
二酸化窒素を空気/酸素ガス流に注入することが、予め決定された用量の二酸化窒素を特定の温度で提供することを含む、請求項１６〜１９のいずれか一項記載のシステム。
【請求項２１】
前記方法が、空気/酸素ガス流中の二酸化窒素の濃度を、該空気/酸素ガス流の流量を制御することによって、予め決定することを更に含む、請求項１６〜２０のいずれか一項記載のシステム。
【請求項２２】
前記方法が、二酸化窒素を表面活性物質に接触させる前に、二酸化窒素と空気/酸素ガスとを混合することを更に含む、請求項１６〜２１のいずれか一項記載のシステム。
【請求項２３】
前記表面活性物質が、シリカゲル、活性チャコール、活性炭、活性アルミナ、又は硫酸カルシウムである、請求項１６〜２２のいずれか一項記載のシステム。
【請求項２４】
前記抗酸化剤が、アスコルビン酸、αトコフェロール、又はγトコフェロールである、請求項１６〜２３のいずれか一項記載のシステム。
【請求項２５】
前記方法が、前記一酸化窒素を、哺乳動物による吸入の直前に、抗酸化剤で被覆された第2の表面活性物質と接触させることを更に含む、請求項１６〜２４のいずれか一項記載のシステム。
【請求項２６】
前記システムが、希釈ガス中の二酸化窒素を含む加圧されたガスボンベをさらに含み、かつ前記二酸化窒素が、該加圧されたガスボンベから導入される、請求項１６〜２５のいずれか一項記載のシステム。
【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
一塩基多型部位を標的とする12〜30連結ヌクレオシドから成る修飾アンチセンスオリゴヌクレオチドを含み、修飾オリゴヌクレオチドには、デオキシヌクレオシドギャップの5’末端に位置する5’ウィング領域、及びデオキシヌクレオシドの3’末端に位置する3’ウィング領域を有するウイング−ギャップ−ウイングモチーフが含まれ、修飾オリゴヌクレオチドの5’末端から数えて、修飾オリゴヌクレオチドのポジション5、6、7、8、9、10、11、12、13、14、又は15、又はギャップの5’末端から数えて、修飾オリゴヌクレオチドのポジション1、2、3、4、5、6、7、8、又は9が一塩基多型と一致している化合物。
【請求項２】
一塩基多型部位が疾患と関連する変異対立遺伝子上にある、請求項1に記載の化合物。
【請求項３】
一塩基多型部位が識別用多型を含む、請求項1に記載の化合物。
【請求項４】
修飾アンチセンスオリゴヌクレオチドが12〜20連結ヌクレオシドから成る、請求項1に記載の化合物。
【請求項５】
修飾アンチセンスオリゴヌクレオチドが15〜20連結ヌクレオシドから成る、請求項1に記載の化合物。
【請求項６】
修飾アンチセンスオリゴヌクレオチドが15〜19連結ヌクレオシドから成る、請求項1に記載の化合物。
【請求項７】
修飾オリゴヌクレオチドの5’末端から数えて、修飾オリゴヌクレオチドのポジション8、9、若しくは10、又はギャップの5’末端から数えて、修飾オリゴヌクレオチドのポジション4、5、若しくは6が一塩基多型と一致する、請求項1、4、5、及び6のいずれか1項に記載の化合物。
【請求項８】
ギャップ領域が7〜11ヌクレオシド長であり、5’ウィング領域が1〜6核酸塩基長、及び3’ウィング領域が1〜6核酸塩基長である、請求項7に記載の化合物。
【請求項９】
ウイング-ギャップ-ウイングモチーフが、5-10-5、2-9-6、3-9-3、3-9-4、3-9-5、4-7-4、4-9-3、4-9-4、4-9-5、4-10-5、4-11-4、4-11-5、5-7-5、5-8-6、5-9-3、5-9-5、5-10-4、5-10-5、6-7-6、6-8-5、及び6-9-2から成る群の任意の１つである、請求項８に記載の化合物。
【請求項１０】
ウイング-ギャップ-ウイングモチーフが、2-9-6、4-9-5、及び4-11-4から成る群の任意の1つである、請求項9に記載の化合物。
【請求項１１】
少なくとも1つのヌクレオシド間連結が修飾ヌクレオシド間連結である、請求項1に記載の化合物。
【請求項１２】
各ヌクレオシド間連結がホスホロチオ酸ヌクレオシド間連結である、請求項2に記載の化合物。
【請求項１３】
少なくとも1つのヌクレオシドが修飾核酸塩基を含む、請求項1に記載の化合物。
【請求項１４】
修飾核酸塩基が5’-メチルシトシンである、請求項5に記載の化合物。
【請求項１５】
少なくとも1つのウィング領域の少なくとも1つのヌクレオシドに修飾糖又は糖代用が含まれている、請求項1に記載の化合物。
【請求項１６】
各ウィング領域の各ヌクレオシドには修飾糖又は糖代用が含まれている、請求項1に記載の化合物。
【請求項１７】
糖又は糖代用が2’-O-メトキシエチル修飾糖である、請求項16に記載の化合物。
【請求項１８】
ウィング領域の少なくとも1つに4’〜2’二環式ヌクレオシドが含まれ、残りのウィングのヌクレオシドの少なくとも1つが非二環式2’-修飾ヌクレオシドである、請求項1に記載の化合物。
【請求項１９】
非二環式2’-修飾ヌクレオシドが2’-O-メトキシエチルヌクレオシドである、請求項16に記載の化合物。
【請求項２０】
4’〜2’二環式ヌクレオシドが4’-CH（CH3）-O-2’二環式ヌクレオシドである、請求項１に記載の化合物。
【請求項２１】
修飾アンチセンスオリゴヌクレオチドが、17連結ヌクレオシドから成り、修飾オリゴヌクレオチドの5’末端から数えて、修飾オリゴヌクレオチドのポジション9が識別用多型と一致する、請求項1に記載の化合物。
【請求項２２】
ウィング-ギャップ-ウィングモチーフが2-9-6である、請求項21に記載の化合物。
【請求項２３】
修飾オリゴヌクレオチドが一塩基多型部位と100％相補的である、請求項1に記載の化合物。
【請求項２４】
少なくとも1つのウィング領域に高度親和性糖修飾が含まれる、請求項1に記載の化合物。
【請求項２５】
請求項1〜24のいずれか1項に記載の化合物を含む、細胞、組織、又は動物における一塩基多型を含む遺伝子の対立遺伝子多様体の発現を選択的に低減するための医薬組成物。
【請求項２６】
変異対立遺伝子が、アルツハイマー病、クロイツフェルト・ヤコブ病、致死性家族性不眠症、アレキサンダー病、パーキンソン病、筋萎縮性側索硬化症、歯状核赤核淡蒼球ルイ体萎縮症（DRPA）、脊髄小脳失調症、捻転ジストニア、心筋症、慢性閉塞性肺疾患（COPD）、肝疾患、肝細胞癌、全身性エリテマトーデス、高コレステロール血症、乳癌、喘息、1型糖尿病、関節リウマチ、グレーブス病、SLE、球脊髄性筋萎縮症、ケネディ病、進行性の小児期後嚢下の白内障、コレステロール胆石症、関節硬化症、心血管疾患、主要な高カルシウム尿症、α-サラセミア、強迫性障害、不安、併存するうつ病、先天性の視覚的な欠陥、高血圧、メタボリックシンドローム、前立腺がん、先天性筋無力症候群、末梢動脈疾患、心房細動、散発性褐色細胞腫、先天奇形、マチャド-ジョセフ病、ハンチントン病、常染色体優性網膜色素変性症から成る群の任意の疾患と関連している、請求項25に記載の医薬組成物。
【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
変異ハンチンチン対立遺伝子の発現が選択的に低減される、rs362306、rs362331、rs2298969、rs7685686、rs4690072、rs2024115又はrs363088から選択される一塩基多型を含む位置にある変異ハンチンチン対立遺伝子に相補的な修飾オリゴヌクレオチドを含む化合物を含む、細胞、組織又は動物の変異ハンチンチン対立遺伝子の発現を選択的に低減するための医薬組成物。
【請求項２】
動物への投与により変異ハンチンチン対立遺伝子を選択的に低減することにより、ハンチントン病を治療し、改善し、又は発症若しくは進行を遅らせる、rs362306、rs362331、rs2298969、rs7685686、rs4690072、rs2024115又はrs363088から選択される一塩基多型を含む対立遺伝子のあるポジションに位置する変異ハンチンチン対立遺伝子に対して相補的な修飾オリゴヌクレオチドを含む化合物を含む、ハンチントン病の治療、改善、又は発症若しくは進行の遅延の方法。
【請求項３】
変異ハンチンチン対立遺伝子の発現が、野生型ハンチンチン対立遺伝子の発現と比較して、少なくとも40％、45％、50％、55％、60％、65％、70％は選択的に低減される、請求項1または2に記載の方法。
【請求項４】
rs362306、rs362331、rs2298969、rs7685686、rs4690072、rs2024115又はrs363088から選択される一塩基多型部位を含むポジションにおける変異ハンチンチン対立遺伝子に相補的な修飾オリゴヌクレオチドを含む、1又は複数の追加の化合物を投与する、請求項1または2に記載の方法。
【請求項５】
修飾オリゴヌクレオチドが15〜20連結ヌクレオシドから成り、修飾オリゴヌクレオチドの5'末端から数えて、修飾オリゴヌクレオチドのポジション5、6、7、8、9、10、11、12、13，14、又は15が、一塩基多型と一致する、請求項1または2に記載の方法。
【請求項６】
修飾オリゴヌクレオチドが変異ハンチンチン対立遺伝子に対し90％相補的である、請求項5に記載の方法。
【請求項７】
修飾オリゴヌクレオチドが変異ハンチンチン対立遺伝子に対し95％相補的である、請求項5に記載の方法。
【請求項８】
修飾オリゴヌクレオチドが変異ハンチンチン対立遺伝子に対し100％相補的である、請求項5に記載の方法。
【請求項９】
修飾オリゴヌクレオチドが一本鎖オリゴヌクレオチドである、請求項5に記載の方法。
【請求項１０】
少なくとも1つのヌクレオシド間連結が修飾ヌクレオシド間連結である、請求項5に記載の方法。
【請求項１１】
各ヌクレオシド間連結がホスホロチオ酸ヌクレオシド間連結である、請求項10に記載の方法。
【請求項１２】
少なくとも1つのヌクレオシドが修飾核酸塩基を含む、請求項5に記載の方法。
【請求項１３】
少なくとも1つの修飾核酸塩基が5'-メチルシトシンである、請求項12に記載の方法。
【請求項１４】
少なくとも1つのヌクレオシドが修飾糖を含む、請求項5に記載の方法。
【請求項１５】
修飾糖が高度親和性糖修飾である、請求項14に記載の方法。
【請求項１６】
高度親和性糖修飾が二環式糖である、請求項15に記載の方法。
【請求項１７】
各二環式糖に4'-CH（CH3）-O-2'ブリッジが含まれる、請求項16に記載の方法。
【請求項１８】
少なくとも1つの修飾糖に2'-O-メトキシエチルが含まれる、請求項14に記載の方法。
【請求項１９】
修飾オリゴヌクレオチドにウイング-ギャップ-ウイングモチーフが含まれる、請求項5に記載の方法。
【請求項２０】
修飾オリゴヌクレオチドのウィングセグメントに位置する各ヌクレオシドに2'-O-メトキシエチル修飾が含まれる、請求項19に記載の方法。
【請求項２１】
ウイング-ギャップ-ウイングモチーフが、2-9-6、3-9-3、3-9-4、3-9-5、4-7-4、4-9-4、4-9-5、4-10-5、4-11-4、4-11-5、5-7-5、5-8-6、5-9-3、5-9-5、5-10-4、5-10-5、6-7-6、6-8-5、及び6-9-2から成る群のいずれかである、請求項19に記載の方法。
【請求項２２】
修飾オリゴヌクレオチドは、リボザイム、二本鎖siRNA、又はshRNAではない、請求項5に記載の方法。
【請求項２３】
修飾オリゴヌクレオチドが12〜20連結ヌクレオシドから成る、請求項19に記載の方法。
【請求項２４】
修飾アンチセンスオリゴヌクレオチドが15〜19連結ヌクレオシドから成る、請求項19に記載の方法。
【請求項２５】
ギャップ領域が7〜11ヌクレオシド長であり、5'ウィング領域が1〜6核酸塩基長であり、3'ウィング領域が1〜6核酸塩基長である、請求項19に記載の方法。
【請求項２６】
少なくとも1つのウィング領域の少なくとも1つのヌクレオシドに修飾糖又は糖代用が含まれる、請求項19に記載の方法。
【請求項２７】
各ウィング領域の各ヌクレオシドに修飾糖又は糖代用が含まれる、請求項19に記載の方法。
【請求項２８】
糖又は糖代用が2'-O-メトキシエチル修飾糖である、請求項27に記載の方法。
【請求項２９】
ウィング領域の少なくとも1つに4'〜2'二環式ヌクレオシドが含まれ、残りのウィングヌクレオシドの少なくとも1つが非二環式2'-修飾ヌクレオシドである、請求項19に記載の方法。
【請求項３０】
非二環式2'-修飾ヌクレオシドが2'-O-メトキシエチルヌクレオシドである、請求項29に記載の方法。
【請求項３１】
4'〜2'二環式ヌクレオシドが4'-CH（CH3）-O-2'二環式ヌクレオシドである、請求項29に記載の方法。
【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
第1箇所の近傍におけるループに関する領域の境界のひとつの座標を決定する段階と、
前記第1箇所に対応する前記座標の勾配の方向を決定する段階と、
前記決定された方向に基づいて第2箇所を選択する段階とを有する、
手術用画像化のための探索方法。
【手続補正書】
【提出日】平成26年1月30日(2014.1.30)
【手続補正１】
【補正対象書類名】特許請求の範囲
【補正対象項目名】全文
【補正方法】変更
【補正の内容】
【特許請求の範囲】
【請求項１】
前方／後方交連（Ａ／Ｐ交連）、後方／中隔交連（Ｐ／Ｓ交連）および中隔／前方交連（Ｓ／Ａ交連）でそれぞれ連結された前方弁尖、後方弁尖および中隔弁尖を含む三尖弁の弁輪に取り付けるための弁形成リングであって、
中央部分ならびに第１および第２の端部分を含む細長い縫合可能材料チューブと、
チューブの中央部分に収容され、該中央部分の長さにわたって延びる弧状補強材であって、チューブに対する補強材の円周方向の移動を防ぐために、中央部分内に周方向の移動を拘束されている弧状補強材と、を備え、
前記チューブの第１と第２の端部分に補強材が無く、前記第１と第２の端は軸線方向に変形可能である、
ことを特徴とする弁形成リング。
【請求項２】
弁形成リングが三尖弁の弁輪に作動的に取り付けられ、その中央部分が、Ｓ／Ｐ交連の周辺からＡ／Ｐ交連までの範囲に及ぶように形成されている、
請求項１に記載の弁形成リング。
【請求項３】
弧状補強材が、後方半径を有する後方部分および前方半径を有する前方部分を含み、前方半径が後方半径よりも大きい、
請求項１に記載の弁形成リング。
【請求項４】
後方半径および前方半径が、弁形成リングが三尖弁の弁輪に作動的に取り付けられ、後方半径が、拡張前の状態の少なくとも弁輪の後方部分に適合し、前方半径が、拡張前の状態の弁輪の前方部分の少なくとも一部に適合するように選択される、
請求項３に記載の弁形成リング。
【請求項５】
第１と第２の端が、軸線方向に充分に変形可能であり、それにより、弁形成リングが作動的に三尖弁の弁輪に取り付けられた場合、第１と第２の端が弧状補強材により定まる平面より容易に逸脱して、正常な動作と実質的に干渉をせずに、三尖弁の解剖学的形態に適合することができる、
請求項１に記載の弁形成リング。
【請求項６】
細長い縫合可能材料チューブが、弧状補強材で定まる平面内でＣ形状に熱硬化する編んだ熱硬化性材料を含む、
請求項１に記載の弁形成リング。
【請求項７】
Ｃの開口部が弁形成リングの公称寸法の約５０％超の長さを有するギャップを規定する、
請求項６に記載の弁形成リング。
【請求項８】
ギャップが公称寸法の約６０％の長さである、
請求項７に記載の弁形成リング。
【請求項９】
弧状補強材が、弧状補強材の各端での縫合線により中央部分内に周方向移動を拘束されている、
請求項１に記載の弁形成リング。
【請求項１０】
各第１と第２の端部分にＸ線マーカをさらに含む、
請求項１に記載の弁形成リング。
【請求項１１】
Ｘ線マーカが、軸線方向および半径方向に容易に変形可能である、
請求項１０に記載の弁形成リング。
【請求項１２】
第１と第２の端部分が、軸線方向および半径方向に容易に変形可能である、
請求項１に記載の弁形成リング。
【請求項１３】
周方向に間隔をあけて設けた約１１以下の取り付け縫合糸をさらに含む、
請求項１に記載の弁形成リング。
【請求項１４】
弧状補強材が弧状補強材の各端の縫合線により縫合可能材料に固定される、
請求項８に記載の弁形成リング。
【手続補正書】
【提出日】平成26年1月31日(2014.1.31)
【手続補正１】
【補正対象書類名】特許請求の範囲
【補正対象項目名】全文
【補正方法】変更
【補正の内容】
【特許請求の範囲】
【請求項１】
コーヒー粉末を収容するカプセルからショートコーヒー抽出物を調製するための方法であって、
７〜８グラムの挽いたコーヒー粉末を収容するカプセルを用意するステップと、
前記コーヒー粉末と相互に作用する液体を前記カプセル内に注入し、飲料生成装置内で前記カプセルに遠心力を及ぼし、前記遠心力の作用により液状コーヒー抽出物を前記カプセルから出し、前記液状コーヒー抽出物をその後に収集するステップと、
を備え、
前記液状コーヒー抽出物の抽出が、３０００〜４５００ｒｐｍの範囲内の速度で前記カプセルを回転させることにより得られ、前記カプセルからの前記液状コーヒー抽出物の抽出中における前記液体の流量が１．０〜２．０ｍｌ／秒である、方法。
【請求項２】
前記液状コーヒー抽出物の抽出が、３５００〜４５００ｒｐｍの範囲内の速度で前記カプセルを回転させることにより得られる、請求項１に記載の方法。
【請求項３】
前記液体の流量が、約２５（±３）ｍｌの量の液状コーヒー抽出物（例えば「リステロット」）の抽出中の方が、約４０（±３）ｍｌの量の液状コーヒー抽出物（例えば「エスプレッソ」）の抽出中よりも低い、請求項１または２に記載の方法。
【請求項４】
前記液体の流量が、約２５（±３）ｍｌの量の液状コーヒー抽出物の抽出中において１．２〜１．４ｍｌ／秒であり、約４０（±３）ｍｌの量の液状コーヒー抽出物の抽出中において２．０ｍｌ／秒である、請求項３に記載の方法。
【請求項５】
前記コーヒー粉末が１６０〜４００ミクロン、好ましくは１６０〜２５５ミクロンの範囲内の平均粒径（Ｄ４，３）を有する、請求項１〜４のいずれか一項に記載の方法。
【請求項６】
前記コーヒー粉末の前記平均粒径（Ｄ４，３）が、約２５（±３）ｍｌの量の液状コーヒー抽出物を供給する場合の方が約４０（±３）ｍｌの量の液状コーヒー抽出物を供給する場合よりも小さくなるように選択される、請求項５に記載の方法。
【請求項７】
前記カプセルが、１８〜２８ｍｌ、最も好ましくは約２４ｍｌ（±１ｍｌ）の挽いた前記コーヒー粉末およびガスを受けるために利用できる格納容積を有する、請求項１〜６のいずれか一項に記載の方法。
【請求項８】
液体、好ましくは熱水を用いた乾燥した前記コーヒー粉末の事前湿潤が前記カプセルからの前記液状コーヒー抽出物の抽出前に行なわれ、その間に、前記液体が、前記コーヒー粉末と混合するために、好ましくは３ｍｌ／秒以下、好ましくは１〜３ｍｌ／秒の流量で、前記カプセル内に供給されるとともに、前記カプセルが回転されずあるいは１０００ｒｐｍ未満、好ましくは５００ｒｐｍ未満、最も好ましくは２５０ｒｐｍ未満の速度で回転される、請求項１〜７のいずれか一項に記載の方法。
【請求項９】
遠心力がかけられた前記液状コーヒー抽出物が、前記液状コーヒー抽出物の遠心噴流をもたらす流れ制限部に通され、その後に衝突壁に衝突する前記液状コーヒー抽出物の前記噴流が、収集されて供給される、請求項１〜８のいずれか一項に記載の方法。
【請求項１０】
前記流れ制限部が、遠心力がかけられた前記液状コーヒー抽出物の圧力下で開放しおよび／またはその開口表面積を増大させる制限バルブ（２３）を好ましくは備え、前記制限バルブの背圧が、前記飲料生成装置のバルブ部（１５）に対して係合される前記カプセルの周縁の厚さ（ｈ１）により決定される、請求項９に記載の方法。
【請求項１１】
前記制限バルブが、それに作用する、遠心力がかけられた前記液状コーヒー抽出物が存在しない場合には、１〜２０Ｋｇｆ／ｃｍ２、好ましくは３〜１５Ｋｇｆ／ｃｍ２、最も好ましくは５〜１２Ｋｇｆ／ｃｍ２の背圧下で閉塞状態に押圧されあるいは最小流れ表面積で押圧される、請求項１０に記載の方法。
【請求項１２】
本体と、周縁と、上壁部材とを備え、請求項１〜１１のいずれか一項に記載の方法に従って、飲料調製装置内で遠心処理によりコーヒー抽出物、好ましくはショートコーヒー抽出物を調製するように設計されるカプセルであって、
前記カプセルが７〜８グラムのコーヒー粉末を収容し、
前記コーヒー粉末が、１６０〜４００ミクロン、より好ましくは１６０〜２５５ミクロンの範囲内の粒径（Ｄ４，３）を有し、
前記カプセルが、１８〜２８ｍｌ、好ましくは約２４ｍｌ（±１ｍｌ）の前記コーヒー粉末およびガスを受けるために利用できる格納容積を有し、
前記周縁が、１．０〜３．５ｍｍ、好ましくは１．２〜２．８ｍｍの厚さを有する環状バルブ部（８）を有する、
カプセル。